(57)【特許請求の範囲】
【請求項１】
電源供給に関する複数の動作モードのうちのいずれかで動作する画像処理装置であって、
前記複数の動作モードは、通常モードと、当該画像処理装置全体への通電を維持しつつ消費電力を抑える省エネルギーモード及び／又は当該画像処理装置のうち一部のみに通電するスリープモードとを含み、
当該画像処理装置は、前記動作モードを切り換えるモード切換手段と、当該画像処理装置の現在の動作モードを記憶するモード記憶手段と、当該画像処理装置への通電状態を検出する通電状態検出手段と、通電が開始されたことが該通電状態検出手段により検出された場合に、当該画像処理装置を初期起動する起動制御手段と、当該画像処理装置への通電が一旦遮断された後に通電が再開されたことが前記通電状態検出手段により検出された場合、前記モード記憶手段に記憶された動作モードに基づいて、当該画像処理装置の通電再開時の動作モードを決定する再開モード決定手段とを備え、
前記モード切換手段は、前記再開モード決定手段で決定された動作モードが省エネルギーモード又はスリープモードであった場合、当該画像処理装置を前記起動制御手段で初期起動後に、前記省エネルギーモード又はスリープモードに移行させることを特徴とする画像処理装置。
【請求項２】
電源スイッチと、該電源スイッチの状態を検出するスイッチ状態検出手段とを備え、前記再開モード決定手段は、前記モード記憶手段で記憶された動作モードと前記スイッチ状態検出手段で検出された電源スイッチの状態とに基づいて、当該画像処理装置の通電再開時の動作モードを決定することを特徴とする請求項１に記載の画像処理装置。
【請求項３】
前記モード切換手段、前記モード記憶手段、前記再開モード決定手段、及び前記起動制御手段は、当該画像処理装置の主制御部に全て具備されるか、或いは当該画像処理装置の通信部に全て具備されることを特徴とする請求項１又は２に記載の画像処理装置。
【請求項４】
電源供給に関する複数の動作モードのうちのいずれかで動作する画像処理装置における起動制御方法であって、
前記複数の動作モードは、通常モードと、前記画像処理装置全体への通電を維持しつつ消費電力を抑える省エネルギーモード及び／又は前記画像処理装置のうち一部のみに通電するスリープモードとを含み、
当該起動制御方法は、前記動作モードを切り換えるモード切換ステップと、前記画像処理装置の現在の動作モードを記憶するモード記憶ステップと、前記画像処理装置への通電状態を検出する通電状態検出ステップと、通電が開始されたことが該通電状態検出ステップにより検出された場合に、前記画像処理装置を初期起動する起動制御ステップと、前記画像処理装置への通電が一旦遮断された後に通電が再開されたことが前記通電状態検出ステップで検出された場合、前記モード記憶ステップで記憶した動作モードに基づいて、前記画像処理装置の通電再開時の動作モードを決定する再開モード決定ステップとを含み、
前記モード切換ステップは、前記再開モード決定ステップで決定された動作モードが省エネルギーモード又はスリープモードであった場合、前記画像処理装置を前記起動制御ステップで初期起動後に、前記省エネルギーモード又はスリープモードに移行させることを特徴とする起動制御方法。
【請求項５】
電源供給に関する複数の動作モードのうちのいずれかで動作する画像処理装置に組み込むためのプログラムであって、
前記複数の動作モードは、通常モードと、前記画像処理装置全体への通電を維持しつつ消費電力を抑える省エネルギーモード及び／又は前記画像処理装置のうち一部のみに通電するスリープモードとを含み、
当該プログラムは、前記画像処理装置に具備される起動制御用コンピュータに、前記動作モードを切り換えるモード切換ステップと、前記画像処理装置の現在の動作モードを記憶するモード記憶ステップと、前記画像処理装置への通電状態を検出する通電状態検出ステップと、通電が開始されたことが該通電状態検出ステップにより検出された場合に、前記画像処理装置を初期起動する起動制御ステップと、前記画像処理装置への通電が一旦遮断された後に通電が再開されたことが前記通電状態検出ステップで検出された場合、前記モード記憶ステップで記憶した動作モードに基づいて、前記画像処理装置の通電再開時の動作モードを決定する再開モード決定ステップとを実行させるためのプログラムであり、
前記モード切換ステップは、前記再開モード決定ステップで決定された動作モードが省エネルギーモード又はスリープモードであった場合、前記画像処理装置を前記起動制御ステップで初期起動後に、前記省エネルギーモード又はスリープモードに移行させることを特徴とするプログラム。
【発明の詳細な説明】
【技術分野】
【０００１】
本発明は、画像処理装置、その起動制御方法、及びプログラムに関し、より詳細には、通常モードと省エネルギーモードやスリープモードなどの動作モードとの間で切り換えが可能な画像処理装置、その画像処理装置における起動制御方法、その画像処理装置に組み込むためのプログラムに関する。
【背景技術】
【０００２】
従来から、プリンタ、複写機、ファクシミリ装置、スキャナ装置、或いはそれらのいずれか複数を複合的に組み込んだ複合機（ＭＦＰ）などの画像処理装置では、電源がＯＦＦされた後に電源がＯＮされて通電が再開すると、イニシャル起動（初期起動）がなされる。この初期起動では、予め定められた電源ＯＮのシーケンスに従って、イニシャル動作が実行される。このような通電再開時の動作は、電源がＯＦＦされてからＯＮされるまでの時間に依らず実行され、それは電源がＯＦＦとなった要因が停電や電源プラグ抜けといった通電の予期せぬ遮断によるものであった場合でも同様である。
【０００３】
また、画像処理装置を含む機器は、瞬時停電による通電の遮断に対応するために動作保証時間が定められ、その定めに基づいた設計がなされていることが多い。この動作保証時間は、具体的には例えばＡＣ電圧の１サイクルといった極短期間を指す。そして、機器は動作保証時間以下の商用電源の通電遮断に対しては、バックアップ電源により動作を保証する。さらに、動作保証時間を過ぎた時点では、バックアップ電源によって停電発生時に取り扱っていたデータや設定データをメモリ回避するなどして、停電から復帰後の処理をスムーズに実行する補助を行う。
【０００４】
停電後の復帰時の動作に関し、特許文献１には、動作中に停電があったとき、設定された動作モードデータを停電が復旧したときに復帰させる手段を備えた画像形成装置が開示されている。ここで、特許文献１における「動作モード」とは、コピー枚数や用紙サイズや拡大／縮小等のコピーモードを指し、従って、停電の復旧により復帰できるのはコピー枚数、用紙サイズ、拡大／縮小等の画像形成動作に関わるユーザ操作による設定となる。また、特許文献１に記載の画像形成装置では、電源遮断期間が例えば５分といった期間以内であった場合に、停電であると判断して上述の復帰を実行している。
【０００５】
また、特許文献２には、停電復帰後に自動的に電源がＯＮしたときや一時的に使用が中断された場合において、不要な電力を消費したり、不用意に電源が入って生じる故障の発生等の問題を回避する複写機が開示されている。特許文献２に記載の複写機では、停電後に商用電源の通電が再開された場合であっても、装置全体への商用電源の通電を遮断することで、不要な電力消費や故障等を防止している。
【０００６】
ところで、従来の画像処理装置では、電源供給に関する複数の動作モードをもち、それらの間で適宜切り換えが可能となっている。ここで言う動作モードとしては、通常の動作モードの他に、省電力モード（省エネルギーモード）やスリープモードなどが挙げられる。
【０００７】
なお、これら動作モードの呼び名はメーカ毎に異なることが常であるが、省エネルギーモードとは画像処理装置全体への通電を維持しつつ消費電力を抑える動作モードを指し、スリープモードとは画像処理装置のうち一部のみに通電する動作モードを指すものとする。
【０００８】
画像処理装置が画像形成装置である場合を例に挙げて、これら動作モードをより具体的に説明する。省エネルギーモードは、装置が所定時間使用されない場合に、感光体や現像装置を初期状態にした後に定着装置の温度を低下させたり、ポリゴンモータの回転速度を低下させることで省電力を行うと共に、次の印刷指示に対して遅延を防止する動作モードである。他方、スリープモードは、スキャナやプリンタエンジンの通電を全て停止させ、操作パネルの一部（特定のボタン）やファクシミリ受信モデムやネットワークボード等のインターフェースに通電を行っておき、特定ボタンの押下や外部からの指示により、装置全体への通電を開始することで、装置全体の省電力を行う動作モードである。
【特許文献１】特開平７−１４６６３０号公報
【特許文献２】特開平１１−３８８４１号公報
【発明の開示】
【発明が解決しようとする課題】
【０００９】
上述のごとく、画像処理装置では、電源がＯＦＦされた後に電源がＯＮされて通電が再開するとイニシャル起動がなされるが、通常の動作モードだけでなく、省エネルギーモードやスリープモードといった複数の動作モードを備えている。
【００１０】
従って、通常モード以外の動作モード時に、瞬時停電や電源コード抜けといった予期せぬ一時的な電力供給の遮断（装置で遮断とみなすべき低下も含む）及び再開が生じた場合には、一律にイニシャル動作が行われるが、従来技術では少なくとも他の動作モードへ移行すると設定した時間が経過するまでは通常モードのままであり、電力の無駄な消費に繋がるだけでなく、装置の稼動部の寿命にも影響を与えることとなる。
【００１１】
また、通常モード以外の動作モード時に一時的な電力供給の遮断及び再開が生じた場合に、一律にイニシャル動作を行うこと自体によっても、電力の無駄な消費に繋がるだけでなく、装置の稼動部の寿命にも影響を与えることとなる。例えば、上述した画像形成装置における省エネルギーモードやスリープモードでは、感光体や現像装置や他の駆動部を初期状態にした後に必要な回路部分（省エネルギーモードの場合には全部）に通電を行っている状態で、一時的な瞬時停電の発生により装置への通電が遮断・再開されると、装置全体のイニシャル動作が行われることで、無駄な電力消費と共に、感光体のクリーニングや現像装置のトナーへの帯電やトナーの撹拌作業などの無駄な処理が行われてしまう。また、この撹拌作業によってトナーを摩擦で劣化させるダメージを与えてしまう。
【００１２】
本発明は、上述のごとき実情に鑑みてなされたものであり、瞬時停電や電源コードの挿脱といった予期せぬ一時的な電力供給の遮断（装置で遮断とみなすべき低下も含む）及び再開が生じた場合にも、省エネルギーモードやスリープモード等の遮断・再開の発生時の電力供給に関する動作モードに対応した省電力を維持することが可能な画像処理装置、その画像処理装置における起動制御方法、及びその画像処理装置に組み込むためのプログラム、を提供することをその目的とする。
【課題を解決するための手段】
【００１３】
上述のごとき課題を解決するために、本発明の第１の技術手段は、電源供給に関する複数の動作モードのうちのいずれかで動作する画像処理装置であって、前記複数の動作モードは、通常モードと、当該画像処理装置全体への通電を維持しつつ消費電力を抑える省エネルギーモード及び／又は当該画像処理装置のうち一部のみに通電するスリープモードとを含み、当該画像処理装置は、前記動作モードを切り換えるモード切換手段と、当該画像処理装置の現在の動作モードを記憶するモード記憶手段と、当該画像処理装置への通電状態を検出する通電状態検出手段と、通電が開始されたことが該通電状態検出手段により検出された場合に、当該画像処理装置を初期起動する起動制御手段と、当該画像処理装置への通電が一旦遮断された後に通電が再開されたことが前記通電状態検出手段により検出された場合、前記モード記憶手段に記憶された動作モードに基づいて、当該画像処理装置の通電再開時の動作モードを決定する再開モード決定手段とを備え、前記モード切換手段は、前記再開モード決定手段で決定された動作モードが省エネルギーモード又はスリープモードであった場合、当該画像処理装置を前記起動制御手段で初期起動後に、前記省エネルギーモード又はスリープモードに移行させることを特徴としたものである。
【００１４】
第２の技術手段は、第１の技術手段において、電源スイッチと、該電源スイッチの状態を検出するスイッチ状態検出手段とを備え、前記再開モード決定手段は、前記モード記憶手段で記憶された動作モードと前記スイッチ状態検出手段で検出された電源スイッチの状態とに基づいて、当該画像処理装置の通電再開時の動作モードを決定することを特徴としたものである。
【００２０】
第３の技術手段は、第１又は第２の技術手段において、前記モード切換手段、前記モード記憶手段、前記再開モード決定手段、及び前記起動制御手段は、当該画像処理装置の主制御部に全て具備されるか、或いは当該画像処理装置の通信部に全て具備されることを特徴としたものである。
【００２１】
第４の技術手段は、電源供給に関する複数の動作モードのうちのいずれかで動作する画像処理装置における起動制御方法であって、前記複数の動作モードは、通常モードと、前記画像処理装置全体への通電を維持しつつ消費電力を抑える省エネルギーモード及び／又は前記画像処理装置のうち一部のみに通電するスリープモードとを含み、当該起動制御方法は、前記動作モードを切り換えるモード切換ステップと、前記画像処理装置の現在の動作モードを記憶するモード記憶ステップと、前記画像処理装置への通電状態を検出する通電状態検出ステップと、通電が開始されたことが該通電状態検出ステップにより検出された場合に、前記画像処理装置を初期起動する起動制御ステップと、前記画像処理装置への通電が一旦遮断された後に通電が再開されたことが前記通電状態検出ステップで検出された場合、前記モード記憶ステップで記憶した動作モードに基づいて、前記画像処理装置の通電再開時の動作モードを決定する再開モード決定ステップとを含み、前記モード切換ステップは、前記再開モード決定ステップで決定された動作モードが省エネルギーモード又はスリープモードであった場合、前記画像処理装置を前記起動制御ステップで初期起動後に、前記省エネルギーモード又はスリープモードに移行させることを特徴としたものである。
【００２２】
第５の技術手段は、電源供給に関する複数の動作モードのうちのいずれかで動作する画像処理装置に組み込むためのプログラムであって、前記複数の動作モードは、通常モードと、前記画像処理装置全体への通電を維持しつつ消費電力を抑える省エネルギーモード及び／又は前記画像処理装置のうち一部のみに通電するスリープモードとを含み、当該プログラムは、前記画像処理装置に具備される起動制御用コンピュータに、前記動作モードを切り換えるモード切換ステップと、前記画像処理装置の現在の動作モードを記憶するモード記憶ステップと、前記画像処理装置への通電状態を検出する通電状態検出ステップと、通電が開始されたことが該通電状態検出ステップにより検出された場合に、前記画像処理装置を初期起動する起動制御ステップと、前記画像処理装置への通電が一旦遮断された後に通電が再開されたことが前記通電状態検出ステップで検出された場合、前記モード記憶ステップで記憶した動作モードに基づいて、前記画像処理装置の通電再開時の動作モードを決定する再開モード決定ステップとを実行させるためのプログラムであり、前記モード切換ステップは、前記再開モード決定ステップで決定された動作モードが省エネルギーモード又はスリープモードであった場合、前記画像処理装置を前記起動制御ステップで初期起動後に、前記省エネルギーモード又はスリープモードに移行させることを特徴としたものである。
【発明の効果】
【００２３】
本発明によれば、画像処理装置において、瞬時停電や電源コードの挿脱といった予期せぬ一時的な電力供給の遮断（装置で遮断とみなすべき低下も含む）及び再開が生じた場合にも、省エネルギーモードやスリープモード等の遮断・再開の発生時の電力供給に関する動作モードに対応した省電力を維持することが可能となる。
【発明を実施するための最良の形態】
【００２４】
以下、本発明に係る画像処理装置は、電源供給に関する複数の動作モードのうちのいずれかで動作する画像処理装置であって、デジタル複合機を例に挙げて説明するが、様々な機能の組み合わせでなる他の複合機だけでなく、プリンタ、複写機、ファクシミリ装置、スキャナ装置といった他の画像処理装置に対しても同様に適用できる。
【００２５】
図１は、本発明の一実施形態に係るデジタル複合機の一構成例を示すブロック図で、図２は、図１のデジタル複合機におけるユーザインターフェースの一例を示す図である。図１で例示するデジタル複合機１は、複写機、ファクシミリ装置、スキャナ装置、プリンタ装置、及びメール送信装置の機能を備えた複合機として構成されたものである。
【００２６】
図１で例示するデジタル複合機１は、画像形成装置の一構成例であり、原稿台で原稿を読み取る画像読取部３１、画像読取部３１で読み取った画像データを画像処理する画像処理部３２、画像処理部３２で処理した画像データに対して画像を紙やフィルムなどの記録媒体に印刷する画像形成部３３、画像データなどを記憶するハードディスク等の記憶部３４、タッチパネルや操作ボタンなどを設けユーザ操作を受け付けるユーザインターフェース（Ｉ／Ｆ）３５、ＩＣカードでのユーザ認証を行ったりＩＣカードから情報を読み取ったり場合によってはデータの書き込みも行うＩＣカードＩ／Ｆ３６、公衆回線に接続された他のファクシミリ機器とのファクシミリ（ＦＡＸ）データの送受を行うＦＡＸ通信部３７、ＬＡＮ経由で他のネットワーク接続された機器とのデータの送受を行うネットワークＩ／Ｆ（ネットワーク通信部３８）、上述した各部を制御する制御部（主制御部）１０、及び、上述した各部に電源を供給する電源ユニット２０を備える。また、デジタル複合機１には、付属の外部機器の一例として、後処理制御部２ａを備えたフィニッシャ２が接続されている。
【００２７】
ユーザＩ／Ｆ３５には、電源のＯＮ／ＯＦＦを行う電源キー３５ｂの他に、ユーザ操作による後述する省エネルギーモードやスリープモードへの移行、或いは既にそれらのモードである場合には通常モードへ復帰させるモード移行を行うための動作モード移行キー（以下、省エネキー）３５ａを備えている。その他、ユーザＩ／Ｆ３５には、カラー印刷スタートボタン３５ｃや白黒印刷スタートボタン３５ｄ、テンキー３５ｅ、及びユーザ設定キー３５ｆ、さらにはタッチパネルでなる液晶表示部３５ｇを備えている。
【００２８】
デジタル複合機１は、電源供給に関する複数の動作モードのうちのいずれかで動作する。そのため、デジタル複合機１は、動作モードを切り換える制御を行うモード切換部１２を備える。そして、デジタル複合機１は、その主たる特徴として、モード記憶部（状態記憶部１５）、通電状態検出部２２、及び再開モード決定部１３を備える。図１では、上述したモード切換部１２、再開モード決定部１３、状態記憶部１５を制御部１０に設け、通電状態検出部２２を電源ユニット２０に設けた例を挙げている。
【００２９】
また、デジタル複合機１には、起動制御部１１が備えられている。起動制御部１１は、電源キー３５ｂでのＯＮ操作がなされたときや、通電遮断後の通電再開時などに、通電状態検出部２２で通電が開始されたことが検出された場合に、デジタル複合機１をイニシャライズして起動する手段でなり、ここでは制御部１０に具備された例を示している。
【００３０】
電源ユニット２０は、各部のユニットに電源を供給する制御を行う電源制御部２３及びその電源２１の他に、上述の通電状態検出部２２を備える。ここで、電源制御部２３は、主として制御部１０の一部、ファクシミリ通信を行うファクシミリ通信部３７、ネットワーク通信部３８など、例えばスリープモードでも待機が必要なユニットに電源を供給するサブ電源を電源２１に備えている。このサブ電源は、ファクシミリ通信部３７の例でいうとファクシミリ待ち受け時に受信に必要な回路以外に電力を供給しない電源となる。
【００３１】
状態記憶部１５は、再開モード決定部１３で利用可能なように、デジタル複合機１の現在の動作モード（モード情報１５ａ）を記憶する手段でなる。通電状態検出部２２は、商用電源２１からデジタル複合機１への通電状態を検出する手段でなり、後述するＡＣ電圧のゼロクロスポイントを検出するよう構成することが好ましい。
【００３２】
また、再開モード決定部１３は、デジタル複合機１への通電が一旦遮断された後に通電が再開されたことが通電状態検出部２２により検出された場合、状態記憶部１５に記憶された動作モード（モード情報１５ａ）に基づいて、デジタル複合機１の通電再開時（復帰時）の動作モードを決定する。再開モード決定部１３での予期せぬ通電の遮断・再開が起こったときの動作モードは、状態記憶部１５に通常モードと記憶されていれば通常モードに、省エネルギーモードと記憶されていれば省エネルギーモードに、スリープモードと記憶されていればスリープモードに、それぞれ決定すればよい。ここで、状態記憶部１５に現在の動作モードのモード情報１５ａ以外のユーザ操作情報やユーザ設定情報などの遮断前の状態を記憶させておき、再開モード決定部１３での動作モード決定に利用するようにしてもよい。
【００３３】
モード切換部１２で切り換え可能な動作モードとしては、ここで例示した通常モード、省エネルギーモード、及びスリープモードに限ったものではない。例えば、通常モードと省エネルギーモードだけ、或いは通常モードとスリープモードだけ、さらには他の動作モードを用意して切り換え可能としてもよい。さらに、省エネルギーモードとスリープモードとを合わせたような動作モードの場合であっても、省エネルギーモードに関わる実施形態にも、スリープモードに関わる実施形態にも適用可能である。
【００３４】
また、通常モード、省エネルギーモード、及びスリープモードついては上述した通り、通常モードが通常動作時のモードで、省エネルギーモードとはデジタル複合機１全体への通電を維持しつつ消費電力を抑える動作モードを指し、スリープモードとはデジタル複合機１のうち一部のみに通電する動作モードを指すものとする。また、スタンバイモードは、省エネルギーモードに対してより即座に動作可能で且つ省電力度合いが小さいモードとし、省エネルギーモードの一部として考える。また、省エネルギーモードやスリープモードとしては、ユーザに合った省エネルギー度合いが装置個別に設定できるものもある。省エネルギーモードは、例えば消費電力を低減しつつ、定着温度の温度を低下、ポリゴンモータの回転数を低下、及び読取光源の光量を低下などを実行して、次の印刷に待機するモードである。一方、スリープモードは、ＦＡＸ通信部３７やネットワーク通信部３８や制御部１０内の後述するＳＷ状態検出部１４などに通電して他の部分への通電は遮断することで、装置への通電をＯＦＦし、外部からの信号に応答するモードである。
【００３５】
また、再開モード決定部１３は、通電状態検出部２２の機能の一つとしてタイマ１３ａを有する。タイマ１３ａは、通電状態検出部２２が通電の遮断を検出してから通電再開までの時間を計測するもので、電源遮断時に電池などで計時を実行する必要がある。タイマ１３ａは、通電状態検出部２２に具備すればよいが、通電状態検出部２２とは別の制御部１０側に設けた例を示している。
【００３６】
後述のＡＣ電圧のゼロクロス信号の検出の有無を採用した場合には、通電状態検出部２２でゼロクロス信号を検出しなくなった時点からタイマ１３ａはカウントを開始し、ゼロクロス信号を再び検出するか或いは所定時間が経過するまで（所定のカウント値まで）カウントを続ける。ここでの所定時間が、再開モード決定部１３で、通電が一旦遮断された後に再開されるまでの時間を指すこととなる。所定時間としては、その一例として動作保証時間より長い３〜５秒や１分といった値に設定するとよい。すなわち、デジタル複合機１への通電が所定時間以内だけ遮断された後に通電が開始された場合には、再開モード決定部１３が状態記憶部１５で記憶された内容（モード情報１５ａや遮断前の状態）に基づいて、電源遮断前の動作モードに移行させる旨の決定など、再開時の動作モードの決定を行う。
【００３７】
また、後述のＡＣ電圧のゼロクロス信号の検出の有無を採用した場合には、通電状態検出部２２でゼロクロス信号を検出しなくなった時点から動作保証時間まではバックアップ電源で別途カウントし、そのカウント値が動作保証時間を示した時点でタイマ１３ａがカウントを開始し、ゼロクロス信号を再び検出するか或いは所定時間が経過するまで（所定のカウント値まで）カウントを続ける。この場合には、所定時間に動作保証時間を加えた時間が、再開モード決定部１３で、通電が一旦遮断された後に再開されるまでの時間を指すこととなる。例えば、動作保証時間経過後に所定時間内に通電が回復すれば、再開モード決定部１３での決定を実行し、逆に通電遮断後、動作保証時間と所定時間とを合わせた時間を超えた場合には、瞬時停電等の予期せぬ事象が生じなかったもの（通常のＯＦＦ・ＯＮ動作）として、例えば起動制御部１１で通常通り一からイニシャライズするだけでよい。
【００３８】
なお、上述の「一旦遮断」は一定の時間で指定する必要は必ずしもなく、例えば瞬時停電等の期間を毎回統計処理するなどして決めた値にすることや、省電力効率が高いような値、さらにはある構成要素の温度値など、所定条件として定めてもよい。
【００３９】
なお、ＩＣカード用のＩ／Ｆ３６などではユーザ認証を行うが、そのユーザ認証結果は、一般的に印刷枚数の管理などに利用させるが、それだけではなく、上述した所定時間の設定（変更）が可能か否かの判定に用いるようにしておけばよい。
【００４０】
以上、本発明によれば、デジタル複合機１において、瞬時停電や電源コードの挿脱といった予期せぬ一時的な電力供給の遮断（装置で遮断とみなすべき低下、すなわちデジタル複合機１の稼働に支障をきたす程度の瞬時電圧低下が起こった場合も含む）及び再開が生じた場合にも、瞬時停電等であることが検出されると、記憶された瞬時停電が発生した前の状態を判別し、復帰する動作モードをスタンバイモード、省エネルギーモード、若しくはスリープモードに切り換えることにより、無断電力の消費を防止し、且つユーザの待ち時間を短くすることが可能となる。従って、瞬時停電等が生じた場合でも、省エネルギーモードやスリープモード等の遮断・再開の発生時の電力供給に関する動作モードに対応した省電力を維持することが可能となる。
【００４１】
また、他の実施形態として、デジタル複合機１は、電源キー３５ｂ等の電源スイッチの状態を検出するスイッチ（ＳＷ）状態検出部１４を備えることが好ましく、図１ではＳＷ状態検出部１４を制御部１０内に設けた例を示している。なお、電源キー３５ｂとしては、シーソースイッチやソフトスイッチ等が挙げられる。シーソースイッチの状態は、電気的に今ＯＮ／ＯＦＦのどちらにスイッチが倒れているかで検出できる。ソフトスイッチの状態は、現在のスイッチの状態を状態記憶部１５などに格納しておき、必要に応じてＳＷ状態検出部１４がそれを読み出すことで検出できる。
【００４２】
この実施形態にあっては、再開モード決定部１３は、状態記憶部１５で記憶された動作モード（モード情報１５ａ）とＳＷ状態検出部１４で検出された電源スイッチの状態とに基づいて、デジタル複合機１の通電再開時の動作モードを決定する。
【００４３】
通電の遮断・再開が生じたとき、遮断前にスイッチの状態がＯＮ／ＯＦＦのいずれの状態であったかという情報と、再開後にそのスイッチの状態がＯＮ／ＯＦＦのいずれの状態にあるかによって、ユーザが操作した結果であるのか、瞬時停電などのトラブルによる結果であるのかを判定（推測）することができる。例えば、後述のゼロクロス信号を検出しなくなったときに、スイッチがＯＦＦ状態になっているならユーザが切ったものと推測し、ゼロクロス信号の未検出期間が短時間であっても、通常通りイニシャライズして復帰する。その逆の場合（短時間の場合）には、元の動作モードに戻す処理を実行する。
【００４４】
このような判断基準に基づき、再開モード決定部１３では、例えばユーザ操作による遮断・再開であると判定した場合には状態記憶部１５で記憶されたモード情報１５ａの動作モードに決定せず、通常モードで起動する。一方、ユーザ操作による遮断・再開ではないと判定した場合には状態記憶部１５で記憶されたモード情報１５ａの動作モードに決定して、遮断前と同じ動作モードに起動する。
【００４５】
また、他の参考例として、上述した各実施形態において、起動制御部１１が、再開モード決定部１３で決定された動作モードが省エネルギーモード又はスリープモードであった場合、デジタル複合機１を初期起動することなく省エネルギーモード又はスリープモードでデジタル複合機１を起動するようにすることが好ましい。この実施形態によれば、遮断前に通常モード以外の動作モードであった場合に、イニシャル動作を一度も行わずに、遮断前の動作モードに戻すことができ、より省電力の効果が大きい。
【００４６】
また、本発明は、イニシャル動作を一度も行わないようにした例を除く例において、モード切換部１２が、再開モード決定部１３で決定された動作モードが省エネルギーモード又はスリープモードであった場合、デジタル複合機１を起動制御部１１で初期起動後に、省エネルギーモード又はスリープモードに移行させるようにしてもよい。本発明では、イニシャル動作を一度も行わないようにした場合に比べて省電力の効果はやや劣るが、ユーザに対して瞬時停電などが生じたことをイニシャル起動の起動音によって知らしめることができる。
【００４７】
また、他の参考例として、複数の動作モードとして少なくとも通常モードとスリープモードとを含み、且つデジタル複合機１が起動制御部１１で通電が制御可能な外部機器（例えばフィニッシャ２やラージカセット等）に接続された実施形態において、起動制御部１１は、再開モード決定部１３で決定された動作モードがスリープモードであった場合、外部機器を通電させないように制御することが省電力の効果が増すので好ましい。
【００４８】
ここで、図３に示すブロック図を参照しつつ、上述の各実施形態や各参考例に適用可能な主制御部１０の構成について説明する。なお、ここでは基本的に制御部１０についてのみ説明するが、画像読取部３１、画像処理部３２、画像形成部３３などの制御部や後処理制御部２ａも同様に構成できる。
【００４９】
制御部１０は、タイマ１３ａに相当する計時部１０ａ、バスに接続されるバスコネクタ１０ｂ、バスを通じて他の機器との間で信号伝送を行うバス制御部１０ｃ、プログラムを好ましくはファームウェアの形態で格納したフラッシュメモリ１０ｈ（又はＥＥＰＲＯＭ等の他の不揮発性メモリ）やＤＲＡＭ（Ｄｙｎａｍｉｃ  Ｒａｎｄｏｍ  Ａｃｃｅｓｓ  Ｍｅｍｏｒｙ）１０ｇ、それらメモリ１０ｇ，１０ｈを制御するメモリ制御部１０ｆ、そのプログラムを内部のＲＡＭに読み出して実行するＭＰＵ（Ｍｉｃｒｏｐｒｏｃｅｓｓｏｒ  Ｕｎｉｔ）１０ｄ、及びＩ／Ｏポート１０ｅ等を備えている。このＭＰＵ１０ｄは、メモリ制御部１０ｆを介して、ＤＲＡＭ１０ｇやフラッシュメモリ１０ｈに対するアクセスを行う。
【００５０】
計時部１０ａは、一定周期で発信信号を発生させるクロック発信器を備え、その発信信号に基づいて現在時刻の計時、及びＭＰＵ１０ｄによって設定された時間（以下、タイマ設定時間という）の計時を行うものである。この計時部１０ａにより計時された現在時刻の情報、及びタイマ設定時間が設定された時点からその時間が経過した旨の情報は、ＭＰＵ１０ｄに伝送される。本発明では、このタイマ設定時間が上述した所定時間に相当するものとなる。
【００５１】
そして、上述のプログラムは、本発明に係る通電の予期せぬ遮断・再開に伴う動作モード処理を、上述のＭＰＵ１０ｄ及びメモリ制御部１０ｆ、並びにＤＲＡＭ１０ｇやフラッシュメモリ１０ｈで構成される、デジタル複合機１に具備される起動制御用コンピュータに実行させるためのプログラムであればよい。つまり、このプログラムは、起動制御用コンピュータに、動作モードを切り換えるモード切換ステップと、デジタル複合機１の現在の動作モードを記憶するモード記憶ステップと、デジタル複合機１への通電状態を通電状態検出部２２を用いて検出する通電状態検出ステップと、デジタル複合機１への通電が一旦遮断された後に通電が再開されたことが通電状態検出ステップで検出された場合、モード記憶ステップで記憶した動作モードに基づいて、デジタル複合機１の通電再開時の動作モードを決定する再開モード決定ステップとを実行させるプログラムである。
【００５２】
このように、本発明は起動制御用のプログラムとしての形態も採用できる。なお、上述のごときデジタル複合機１等の画像処理装置に組み込まれるファームウェアは、汎用コンピュータで読み取り可能な記録媒体に格納して流通させ、画像処理装置にＰＣなどと接続することでＰＣなどを経由して、或いはネットワーク経由で画像処理装置に直接、組み込むとよい。
【００５３】
また、Ｉ／Ｏポート１０ｅは、制御部１０からその制御対象となる機器に対して出力する制御信号を伝送する信号線や、制御部１０が各種センサから入力する各種検出信号を伝送する信号線が接続され、それら信号線とＭＰＵ１０ｄとの間を中継するインターフェースである。例えば、制御部１０のＩ／Ｏポート１０ｅには、ユーザＩ／Ｆ３５及び記憶部３４を構成する機器やセンサに通じる信号線が接続される。
【００５４】
また、図示しないが、画像読取部３１における制御部も制御部１０と同様に構成でき、そのＩ／Ｏポートには、スキャナ部を構成するモータや光源、センサ等の機器に通じる信号線が接続される。さらに、画像処理部３２や画像形成部３３の制御部も同様であり、そのＩ／Ｏポートには、印字ユニットが備えるモータやセンサ、ヒータ等の機器に通じる信号線が接続される。同様に、フィニッシャ２の後処理制御部２ａのＩ／Ｏポートには、フィニッシャ２が備える機器やセンサに通じる信号線が接続される。
【００５５】
図４は、図１のデジタル複合機における通電状態検出部及び電源制御部の一構成例を示す回路ブロック図で、図５は、図４の回路における電圧波形の例を示す図で、図６乃至図８は、ゼロクロス信号検出のリファレンスレベルについて説明するための波形図である。
【００５６】
図１乃至図３を参照して説明したデジタル複合機１における通電状態検出部２２として、好適に採用できるゼロクロス信号の検出による例を、図４乃至図８を参照して説明する。通電状態検出部２２は、デジタル複合機１に適用される電源ユニット２０において停電を確実に検出する停電検出機能と、適正にＡＣ電圧が基準電圧（０Ｖ）を通過するポイント（以下、ゼロクロスポイントという）を検出する機能を備えていることが好ましい。
【００５７】
ここで、停電検出機能とは、商用電源２１からの電圧値の異常を検出する機能であり、停電検出機能を備えることにより、例えば累積印刷枚数やトラブル発生回数の履歴を記録していた場合でも、突如停電が発生したために重要な記録が消失するといった不都合を防止することが可能になる。
【００５８】
また、ゼロクロスポイントの検出機能は、電力供給開始時点において、例えばハロゲンランプヒータ等に対して大きな突入電流が流れることを防止するために位相制御を行う際に重要となるものであり、一般的な画像処理装置において採用されている。但し、次に説明するゼロクロスポイント検出機能は、本発明の通電の予期せぬ遮断・再開に応じた起動制御処理にも遮断・再開の検出時に適用できると共に、より確実なゼロクロスポイント検出が可能な好適な例である。
【００５９】
図４で例示する通電状態検出部２２は、停電検出機能及びゼロクロス検出機能をもち、商用電源２１の電圧を全波整流する整流回路部４０、信号出力回路部５０、及び整流回路部４０の後段に配置される平滑回路部６０を備え、信号出力回路部５０の後段からゼロクロス検出信号を制御部１０の再開モード決定部１３（及び電源制御部２３）へ出力すると共に、平滑回路部６０の後段から所望の直流電力を出力するものである。なお、平滑回路部６０の後段に適宜電源トランスを配置して所望の電圧を生成してもよい。また、図４において、ノイズフィルタを目的としたインダクタ、コンデンサ、及び、抵抗、並びに１次側電圧から２次側電圧を生成する過程を示す箇所については、通常使用されているものと同様の構成を用いることが可能であり、特段、その構成が限定されることがないため図示を省略している。
【００６０】
整流回路部４０は、ダイオードブリッジ４１、ダイオード４２、及びダイオード４３を備えている。整流回路部４０では、商用電源２１から供給されるＡＣ電圧を、ダイオード４２及びダイオード４３を通じ、ダイオードブリッジ４１のマイナス側へ電流を帰還させているため、図５（Ａ）に示す商用電源２１のＡＣ電圧に対して、図４中のポイントＢでは、図５（Ｂ），（Ｃ）に示すような全波整流された波形が得られる。なお、全波整流されたＢポイントでは平滑措置を講じていないため、図５（Ｂ），（Ｃ）に示すような脈流波形となっている。
【００６１】
平滑回路部６０は、パワーサーミスタ６２及び平滑コンデンサ６１を備えている。信号出力回路部５０は、抵抗５２、フォトカプラ５１（発光ダイオード５１ａ、フォトトランジスタ５１ｂ）、２次側回路の抵抗５３〜５６、及びトランジスタ５７を備えている。ダイオード４２及びダイオード４３と、ダイオードブリッジ４１のマイナス側の間に、電流制限用の抵抗５２と、発光ダイオード５１ａが直列的に配置されている。このため、全波電流波形が時間的推移によって、基準電圧（本例ではダイオードブリッジ４１のマイナス電位）に対し、フォトカプラ５１の発光側に配置される発光ダイオード５１ａの順方向電圧ＶＦ（設定電圧値）以下になる期間で、フォトカプラ５１に流れる電流が遮断される。
【００６２】
一方、フォトカプラ５１の受光側に配置されるフォトトランジスタ５１ｂは、２次側回路のＤＣ電圧（本例は、ＤＣ５Ｖ）を分圧する抵抗５３と抵抗５４及び抵抗５５との中点（分圧点）からエミッタ接地で接続されている。トランジスタ５７のベースは、抵抗５４と抵抗５５の中点（分圧点）に接続されており、トランジスタ５７のコレクタは抵抗５６を介しＤＣ電圧に接続される。
【００６３】
フォトカプラ５１のフォトダイオード５１ａに電流が流れるとき、すなわちフォトカプラ５１に供給される電圧波形における電圧値が発光ダイオード５１ａの順方向電圧ＶＦ以上になったときには、フォトトランジスタ５１ｂが導通する結果、抵抗５３と、抵抗５４及び抵抗５５の中点は略０Ｖとなる。抵抗５３と、抵抗５４及び抵抗５５の中点の電圧が０Ｖになると、抵抗５４と抵抗５５の中点も０Ｖとなり、トランジスタ５７が導通しないことから、トランジスタ５７のコレクタ電圧はＤＣ電圧に略等しくなるため、信号出力回路部５０から電源制御部２３に対してハイレベルの信号が出力される。
【００６４】
一方、フォトカプラ５１の発光ダイオード５１ａの電流が遮断されるとき、すなわちフォトカプラ５１に供給される電圧波形における電圧値が発光ダイオード５１ａの順方向電圧ＶＦ未満になったときには、受光側のフォトトランジスタ５１ｂがＯＦＦする結果、抵抗５３と、抵抗５４及び抵抗５５の中点には、ＤＣ５Ｖが分圧された電圧が発生する。従って、抵抗５４と抵抗５５の中点にもＤＣ５Ｖが分圧された電圧が発生するとともに、トランジスタ５７のベース−エミッタ間に電圧が発生する。このため、トランジスタ５７がＯＮすることから、トランジスタ５７のコレクタ電圧が下降して略０Ｖとなるため信号出力回路部５０は電源制御部２３に対してローレベルの信号が出力される。
【００６５】
上述のように、フォトカプラ５１に供給される電圧波形における電圧値が、発光ダイオード５１ａの順方向電圧ＶＦ以上であるか否かによって、信号出力回路部５０は直接又は電源制御部２３を介して再開モード決定部１３に対してそれぞれ異なった信号を出力している。図５（Ｄ）に、図４中のポイントＤを通過する検出信号を示している。再開モード決定部１３での信号入力は図３で示したバスコネクタ１０ｂ経由で行えばよい。
【００６６】
また、電源制御部２３は、それ自体、電源供給を確認して制御する必要があり、また信号出力回路部５０から出力される信号は、電源制御部２３を介すことで上述したハロゲンランプヒータに対する位相制御等に用いることができる。従って、図４で図示したように、再開モード決定部１３への直接の信号伝送がなされない場合でも電源制御部２３への信号出力は行うとよい。
【００６７】
電源制御部２３は、例えばＣＰＵ２３ａ、信号受信部２３ｂ、記憶部２３ｃ、タイマ２３ｄ、ＲＯＭ２３ｅ、及びＲＡＭ２３ｆ等で構成できる。ＲＯＭ２３ｅは、電源ユニット２０の動作に必要なプログラムを格納している。ＲＡＭ２３ｆは、揮発性のメモリであり、一時的にデータが格納される。記憶部２３ｃは、ＥＥＰＲＯＭ等の不揮発性のメモリであり、電源ユニット２０の動作に必要な設定値等が記録される。タイマ２３ｄは、任意の期間を計時するものであり、ゼロクロスポイントの算出の際に用いられる。ＣＰＵ２３ａは、上述の電源ユニット２０の構成要素を統括的に制御する。
【００６８】
上述のごとき構成により、商用電源２１のＡＣ電圧を整流回路部４０によって全波整流すると、まず、図６に示すように脈流した電圧波形が得られる。このとき、商用電源２１から正常なＡＣ電圧が供給されると、図示したように基準電圧からピーク電圧まで時間的な推移に伴って電圧値が変化する。従って、例えば、商用電源の周波数が５０Ｈｚの場合には、１サイクル期間が２０ｍｓｅｃであるため、１０ｍｓｅｃ毎に、ＡＣ電圧が基準電圧（０Ｖ）を通過する。このため、信号出力回路部５０から出力される検出信号も同様に、１０ｍｓｅｃ毎に電圧レベルが０Ｖ（ローレベル）になる。
【００６９】
電源ユニット２０では、図５（Ｄ）に示すような矩形波が継続的に検出されるか否かを電源制御部２３が判断することにより、商用電源２１からＡＣ電圧が正常に供給されていることを確認している。
【００７０】
実際、電源ユニット２０は、図６に示す通り、整流回路部４０によって全波整流されたＡＣ電圧について、ピーク電圧を検出する上で、デューティ比との関係で最も検出精度が良くなるピーク値の略１／２をリファレンスレベル（設定電圧値）として設定している。なお、ピーク値の略１／２とは、ピーク値の５０〜６０％の範囲をいうものとする。リファレンスレベルを少なくともピーク値の１／２以上の範囲に設定することにより、信号出力回路部５０から電源制御部２３に対して検出信号が出力される期間、すなわち停電検出機能による電力消費期間が、ＡＣ電圧１サイクルのうちの最大でも７０％以下の期間になるように抑制できることが実験的に確認されている。なお、この７０％という数値は、リファレンスレベルをピーク値の１／２に設定したときのＡＣ電圧１サイクルの６７％に相当する電力消費期間に、各サイクルにおけるバラツキをも含めて算出した数値である。
【００７１】
ここで、図７（Ａ）で示すようにリファレンスレベル（設定電圧値）を低く設定すると、信号出力回路部５０から電源制御部２３に対して検出信号が出力されない期間（電流を流さない期間）が短く、この電流を流さない期間をサンプリングすることが困難である。そのため、図７（Ｂ）に示すようにリファレンスレベル（設定電圧値）を高く設定することで、この電流を流さない期間をサンプリングしてゼロクロスポイントを精度よく予測することが可能となる。
【００７２】
ゼロクロスポイントの検出を図８を参照して説明する。まず、図７（Ｂ）で示した電流を流さない期間となるＴ１，Ｔ２，Ｔ３，・・・，Ｔｎをｎ回（１〜ｎ回）サンプリングする。なお、このときの検出信号レベルはハイレベル（Ｈ）である。そして、ｎ回のサンプリング後に、電流を流さない期間の平均値を算出し、この平均値の半分の値Ｔｚを用いて正確なゼロクロスポイントを予測する。本例では、最初の非検出となった検出信号の立ち上がりエッジからカウントしてＴｚ（ｍｓｅｃ）の後をゼロクロスポイントとみなし、それに基づいて位相制御等を行っている。このようにすることにより、精度の高いゼロクロスポイントの検出が可能になる。
【００７３】
このようにして算出したゼロクロスポイントの情報（或いは元のゼロクロス信号：ＡＣ電圧検出信号）は、上述したように電源制御部２３を介して又は直接、再開モード決定部１３へ伝送され、内部のタイマ１３ａによって、ゼロクロスポイントの到来からの時間（或いはＡＣ電圧検出信号のハイレベルからローレベルに落ちてからの時間）が計時され、上述の所定時間で代表される値と比較される。この比較結果に基づき、再開モード決定部１３は、遮断後、例えば所定時間以上再開がなかった場合に、状態記憶部１５のモード情報１５ａに基づき、その動作モードで起動（或いは初期起動後にその動作モードに移行）する。
【００７４】
通電が再開するまでの時間が長い場合でも、例えば、通電状態検出部２２で動作保証時間が過ぎたか否か（又はゼロクロスポイントの到来）を、電池で駆動するリアルタイムクロック等でなるタイマ１３ａに渡し、経過したという情報でタイマ１３ａをＯＮしてカウントを開始し、次にゼロクロスポイントの到来があるまでカウントし続け、所定時間まで経過してしまった場合に、再開モード決定部１３が動作モードの決定を行えばよい。
【００７５】
図９及び図１０は、図１のデジタル複合機における起動制御処理及び動作モード移行処理を説明するためのフロー図である。また、図１１は、図１のデジタル複合機における通電遮断検出に伴う処理を説明するためのフロー図で、本発明の一実施形態に係る起動制御方法の一例を説明するためのフロー図でもある。
【００７６】
まず、デジタル複合機１における起動制御部１１での起動制御処理、及びモード切換部１２での動作モードの切り換え処理について、通電遮断・再開がない場合の処理を説明する。電源キー３５ｂの押下（ここでは通電遮断後の通電再開は考慮しない）により、起動制御部１１が装置全体のイニシャライズを実行し（ステップＳ１）、待機状態にする（ステップＳ２）。なお、この待機状態とは、本発明に関わる動作モードに加えてもよい動作モードであり、ここでは即座に動作可能なよう省エネルギーモードよりも省電力の度合いが小さいモードで、スタンバイモードを指す。
【００７７】
次に、制御部１０は、ユーザからの動作指示（公衆回線やネットワーク経由での受信も含む）があるか否かを判定する（ステップＳ３）。ステップＳ３の判定の結果、例えば省エネキー３５ａが押下されるか設定時間の到来などによって動作を行う必要がある場合には、モード切換部１２が通常モードへ変更する（ステップＳ４）。ステップＳ４に続き、制御部１０が、指定された処理を他の構成要素（例えば画像処理部３２及び画像形成部３３等）を制御しながら実行し（ステップＳ５）、処理が終了したか否かを判定し（ステップＳ６）、処理終了までステップＳ５を繰り返し、ステップＳ２へ戻る。
【００７８】
一方、ステップＳ３で動作指示がなかった場合には、モード切換部１２が省エネルギーモードへの移行設定時間ｎが経過したか否かを判定し（ステップＳ７）、経過しない時間帯ではステップＳ３へ戻り、動作指示を待つ。ステップＳ７で時間ｎが経過したと判定された場合、モード切換部１２が省エネルギーモードへ動作モードを切り換える（ステップＳ８）。
【００７９】
ステップＳ８に続き、ステップＳ３と同様に動作指示の有無を判定し（ステップＳ９）、指示があった場合にはステップＳ４へ進み、指示がなかった場合にはモード切換部１２がスリープモードへの移行設定時間ｍ（＞ｎ）が経過したか否かを判定し（ステップＳ１０）、経過しない時間帯ではステップＳ９へ戻り、動作指示を待つ。ステップＳ１０で時間ｍが経過したと判定された場合、モード切換部１２がスリープモードへ動作モードを切り換える（ステップＳ１１）。
【００８０】
ステップＳ１１に続き、ＦＡＸ通信部３７又はネットワーク通信部３８でデータ受信がなされたか否かを制御部１０が判定し（ステップＳ１２）、データ受信があった場合には、装置全体の起動が必要か否かを制御部１０が判定し（ステップＳ１４）、必要であった場合にはモード切換部１２が通常モードへの切り換えを実行して装置全体を起動して（ステップＳ１５）、ステップＳ４へ進む。ステップＳ１４で装置全体の起動が必要ないと判定された場合、稼働している部位だけでデータ受信を実行し（ステップＳ１６）、ステップＳ１２へ戻る。
【００８１】
一方、ステップＳ１２においてデータ受信がなかった場合には、制御部１０がユーザ操作により復帰指示がなされているか否かを判定し（ステップＳ１３）、なされていない場合にはステップＳ１２へ戻ってデータ受信を待つ。ステップＳ１３で復帰指示があった場合には、ステップＳ１４へ進む。
【００８２】
そして、上述のごとき動作モード切換処理がなされるいずれかの時点で通電状態検出部２２が通電の遮断を検出した場合の処理例を、図１１を参照して説明する。ここで説明する処理例は、本発明の主たる特徴を含んでおり、遮断に対処するための処理も併せて説明する。
【００８３】
まず、制御部１０において、モード切換部１２が動作モードの切り換えによる状態変化を生じさせたか否かを判定し（ステップＳ２１）、変化があった場合には状態記憶部１５がモード情報１５ａとして変化後の状態を記憶する（ステップＳ２２）。ステップＳ２１で動作モードの切り換えがなかったと判定された場合、並びにステップＳ２２に続いて、通電状態検出部２２が通電遮断を検出したか否かを判定する（ステップＳ２３）。ステップＳ２３で通電遮断検出があった場合、再開モード決定部１３が内部のタイマ１３ａで通電遮断時間をカウントし（ステップＳ２４）、それと並行して通電状態検出部２２が通電が再開したか否かを判定し（ステップＳ２５）、通電再開までステップＳ２４のカウントを続行する。
【００８４】
ステップＳ２５で通電再開が検出された後、再開モード決定部１３が、タイマ１３ａのカウント値が動作保証時間以上であったか否かを判定し（ステップＳ２６）、動作保証時間以上でなければ、瞬時停電であってもバックアップ電源で通常通り処理可能であるので、ステップＳ２１へ戻る。
【００８５】
ステップＳ２６で動作保証時間以上であった場合には、バックアップ電源で対処しきれない瞬時停電や電源コード抜けやさらにはユーザによるＯＦＦ操作である可能性があるので、再開モード決定部１３が、タイマ１３ａのカウント値が所定時間以下であるか否かを判定する（ステップＳ２７）。ステップＳ２７で所定時間以下でなかった場合には、ユーザ操作による通電の遮断・再開であるか、或いは停電や電源コード抜けなどであっても次に直ぐデジタル複合機１を使用しないと判断し、起動制御部１１が装置全体をイニシャライズして起動し（ステップＳ３０）、ステップＳ２１へ戻る。
【００８６】
一方、ステップＳ２７で所定時間以下であった場合には、瞬時停電や電源コード抜き差しであるか、或いはユーザの誤操作による通電の遮断・再開であると判断し、まず、ＳＷ状態検出部１４がスイッチ状態の検出を行う（ステップＳ２８）。ステップＳ２８での検出の結果、再開モード検出部１３が、遮断前後の電源キー３５ｂの状態からユーザ操作の結果であるか否かを判定する（ステップＳ２９）。なお、ユーザの誤操作で、電源をＯＦＦして即座に気づいてＯＮした場合には、遮断前には電源キー３５ｂの状態はＯＮ、遮断後にもＯＮであるので、ユーザ操作の結果であると判定せず、ユーザの誤操作の結果と判定する。
【００８７】
ステップＳ２９でユーザ操作の結果であると判定した場合には、ステップＳ３０へ進み、イニシャライズ起動を実行する。一方、ユーザ操作の結果でないと判定された場合には、再開モード決定部１３が状態記憶部１５から遮断前のモード情報１５ａを読み出し（ステップＳ３１）、起動制御部１１が読み出した状態（動作モード）で装置を起動する（ステップＳ３２）。ここで本発明では、上述したように、ステップＳ３２では起動制御部１１が装置全体をイニシャライズして起動した後に、読み出した動作モードへ移行する。
【００８８】
以上、図１乃至図１１を参照して、デジタル複合機１の主制御部１０に、モード切換部１２、再開モード決定部１３、及び状態記憶部１５（及び起動制御部１１やＳＷ状態検出部１４）の全てが具備される例を説明したが、これらの構成要素は外部との通信を行う通信部に組み込まれてもよい。この通信部としては図１におけるＦＡＸ通信部３７やネットワーク通信部３８などが例示できるが、どの通信部に組み込んでも基本的な構成は同様であり、ここではネットワーク通信部に対して適用した例のみを説明する。
【００８９】
図１２は、本発明の他の実施形態に係るデジタル複合機の一構成例を示す図で、図１３は、図１２のデジタル複合機におけるネットワーク通信部の一構成例を示すブロック図である。
【００９０】
図１２で例示するデジタル複合機１は、モード切換部８２、状態記憶部８５、及び再開モード決定部８３（及び起動制御部８１やＳＷ状態検出部８４）が、ネットワーク通信部８０に具備される。制御部７０は、制御部１０から本発明に係る上述した構成要素を除いたものである。なお、制御部１０での処理のうち構成要素１１〜１５での処理がネットワーク通信部８０で処理されるため、各構成要素８１〜８５についての詳細は説明しない。
【００９１】
ネットワーク通信部８０は、タイマ８３ａに相当する計時部８０ａ、バスコネクタ８０ｂ、バス制御部８０ｃ、ＭＰＵ８０ｄ、ネットワーク制御部８０ｅ（ネットワーク制御部８６）、ネットワークコネクタ８０ｆ、メモリ制御部８０ｇ、ＤＲＡＭ８０ｈ、フラッシュメモリ８０ｉ等で構成される。ネットワーク通信部８０は、例えば標準規格ＩＥＥＥ８０２．３に準拠したＬＡＮ等のネットワークを通じて、外部装置との間でデータの送受信を行う、ＮＩＣ（ネットワークインターフェースカード）などで構成される通信インターフェースである。ネットワーク通信部８０は、例えば、画像処理部３２により生成された画像データや、画像読取部３１で読み取られた画像データ、或いは記憶部３４に保存されているデータを外部装置へ送信する処理、さらには、外部装置から各種のデータ処理要求を受信する処理等を行う。
【００９２】
ここで、計時部８０ａ、バスコネクタ８０ｂ、バス制御部８０ｃ、メモリ制御部８０ｇ、ＤＲＡＭ８０ｈ、及びフラッシュメモリ８０ｉの各々は、図３で例示した制御部１０が備える同名の構成要素と同様の機能を備えたものである。なお、ＤＲＡＭ８０ｈ及びフラッシュメモリ８０ｉに記憶されるプログラムやデータの内容は、制御部１０のＤＲＡＭ１０ｈ及びフラッシュメモリ１０ｉに記憶されているものと異なることは言及するまでもない。また、ネットワークコネクタ８０ｆは、ネットワークに物理的に接続するコネクタであり、ネットワーク制御部８０ｅは、例えば標準規格ＩＥＥＥ８０２．３及びＴＣＰ／ＩＰ等の所定のネットワークプロトコルに準拠した通信制御を行うものである。
【００９３】
スリープモードとしては、一番省電力なのはＦＡＸ通信部３７やネットワーク通信部８０のみ通電するものが採用されることが多いため、図１２及び図１３で説明した実施形態によれば、制御部７０でのスリープモード時の待機電力をなくすことができ、より省電力化が図れる。
【図面の簡単な説明】
【００９４】
【図１】本発明の一実施形態に係るデジタル複合機の一構成例を示すブロック図である。
【図２】図１のデジタル複合機におけるユーザインターフェースの一例を示す図である。
【図３】図１のデジタル複合機における制御部の一構成例を示すブロック図である。
【図４】図１のデジタル複合機における通電状態検出部及び電源制御部の一構成例を示す回路ブロック図である。
【図５】図４の回路における電圧波形の例を示す図である。
【図６】ゼロクロス信号検出のリファレンスレベルについて説明するための波形図である。
【図７】ゼロクロス信号検出のリファレンスレベルについて説明するための波形図である。
【図８】ゼロクロス信号検出のリファレンスレベルについて説明するための波形図である。
【図９】図１のデジタル複合機における起動制御処理及び動作モード移行処理を説明するためのフロー図である。
【図１０】図９に続くフロー図である。
【図１１】図１のデジタル複合機における通電遮断検出に伴う処理を説明するためのフロー図である。
【図１２】本発明の他の実施形態に係るデジタル複合機の一構成例を示す図である。
【図１３】図１２のデジタル複合機におけるネットワーク通信部の一構成例を示すブロック図である。
【符号の説明】
【００９５】
１…デジタル複合機、２…フィニッシャ、２ａ…後処理制御部、１０，７０…制御部、１１，８１…起動制御部、１２，８２…モード切換部、１３，８３…再開モード決定部、１３ａ，８３ａ…タイマ、１４，８４…ＳＷ状態検出部、１５，８５…状態記憶部、１５ａ，８５ａ…モード情報、２０…電源ユニット、２１…電源、２２…通電状態検出部、２３…電源制御部、３１…画像読取部、３２…画像処理部、３３…画像形成部、３４…記憶部、３５…ユーザＩ／Ｆ、３５ａ…省エネキー、３５ｂ…電源キー、３５ｃ…カラー印刷スタートボタン、３５ｄ…白黒印刷スタートボタン、３５ｅ…テンキー、３５ｆ…ユーザ設定キー、３５ｇ…液晶表示部、３６…ＩＣカードＩ／Ｆ、３７…ＦＡＸ通信部、３８，８０…ネットワーク通信部。
【図１】
0004526499.tif 000002
【図２】
0004526499.tif 000003
【図３】
0004526499.tif 000004
【図４】
0004526499.tif 000005
【図５】
0004526499.tif 000006
【図６】
0004526499.tif 000007
【図７】
0004526499.tif 000008
【図８】
0004526499.tif 000009
【図９】
0004526499.tif 000010
【図１０】
0004526499.tif 000011
【図１１】
0004526499.tif 000012
【図１２】
0004526499.tif 000013
【図１３】
0004526499.tif 000014